(57)【要約】    転動可能構造（１００４）、支持ベース（１０１３）及びストッパ機構（１０２４）を備える第１支持部（１００１）と、第２支持部（１００３）と、接続部（１００２）とを含むブラケットであって、第１支持部（１００１）が接続部（１００２）により第２支持部（１００３）を支持し、それにより第２支持部（１００３）が第１作用力で第１支持部（１００１）に対して転動可能になり、ストッパ機構（１０２４）が転動可能構造の転動を阻止する作用を提供するためのものであり、転動可能構造（１００４）が支持ベース（１０１３）に支持され、ストッパ機構（１０２４）の阻止作用が解消された場合に第２作用力で支持ベース（１０１３）に対して転動可能であり、転動可能構造（１００４）が接続部（１００２）により第２支持部（１００３）を支持し、それにより転動可能構造（１００４）が支持ベース（１０１３）に対して転動する時に第２支持部（１００３）に対して転動可能になるブラケット、支持システム、トロンボエラストグラフ及びその使用方法である。トロンボエラストグラフの各検出部分の間の角度ずれを解消して、測定精度を高めることができる。【選択図】図１
2019515315.tif 000002
【特許請求の範囲】
【請求項１】
転動可能構造、支持ベース及びストッパ機構を備える第１支持部と、第２支持部と、接続部とを含むブラケットであって、
前記第１支持部は前記接続部により前記第２支持部を支持し、それにより前記第２支持部が第１作用力で前記第１支持部に対して転動可能になり、
前記ストッパ機構は前記転動可能構造の転動を阻止する作用を提供するためのものであり、
前記転動可能構造は前記支持ベースに支持され、前記ストッパ機構の前記阻止作用が解消された場合に第２作用力で前記支持ベースに対して転動可能であり、
前記転動可能構造は前記接続部により前記第２支持部を支持し、それにより前記転動可能構造が前記支持ベースに対して転動する時に前記第２支持部に対して転動可能になるブラケット。
【請求項２】
前記転動可能構造は、
前記支持ベースに支持され、前記ストッパ機構の前記阻止作用が解消された場合に前記第２作用力で前記支持ベースに対して転動可能である第１支持部材と、
前記第１支持部材に支持され且つ前記第１支持部材に固定的に接続され、それにより前記第１支持部材が転動する時にそれに伴って転動可能であり、また、前記接続部により前記第２支持部を支持し、それにより前記第１支持部材が転動する時に前記第２支持部に対して転動可能である橋式構造とを含む請求項１に記載のブラケット。
【請求項３】
前記ストッパ機構は、
前記転動可能構造を前記支持ベースに対して固定するための固定部材、
前記転動可能構造と前記支持ベースの両方が互いに接触する、所定の粗度を有する表面、
前記転動可能構造と前記支持ベースの接触表面の間で解消可能な粘着力を提供する材料から選択される１つ又はそれらの任意の組合せである請求項１に記載のブラケット。
【請求項４】
前記第１支持部材の中心に第１貫通孔を有し、前記橋式構造が前記第１貫通孔を跨いで前記第１支持部材に固定され、
前記支持ベースの中心に第１貫通孔と少なくとも部分的に重なり合う第２貫通孔を有し、
前記第２支持部の中心に第３貫通孔を有し、
前記第２支持部が前記第１支持部に支持された時に前記第１貫通孔と前記第２貫通孔を貫通し、前記橋式構造が前記第３貫通孔を貫通し且つ前記第３貫通孔に位置する前記接続部により前記第２支持部を支持する請求項２に記載のブラケット。
【請求項５】
前記接続部は、
前記橋式構造に固定的に接続された第１接続部と、
前記第２支持部に固定的に接続された第２接続部とを含み、
前記第１接続部と前記第２接続部が点接触の方式により一体に接続され、それにより前記第１接続部と前記第２接続部が相対的に転動可能になって、前記第２支持部と前記橋式構造が相対的に転動可能になる請求項２に記載のブラケット。
【請求項６】
前記第１支持部材は支持表面及び前記支持表面の下面に位置し且つそれに固定的に接続された柱状延伸部を含み、
前記支持ベースにおける前記第１支持部材と接触する頂部表面に前記柱状延伸部を係合する凹溝を有し、それにより前記柱状延伸部が前記凹溝に収納されて前記凹溝に支持され且つ前記凹溝中で転動することが可能になる請求項２に記載のブラケット。
【請求項７】
前記第１支持部材は支持表面及び前記支持表面の下面に位置し且つそれに固定的に接続された柱状延伸部を含み、ここで前記支持表面が前記柱状延伸部の上表面を超えるように延伸し、それにより前記支持表面が前記柱状延伸部の側表面から突出し、
前記支持ベースにおける前記第１支持部材と接触する頂部表面に前記柱状延伸部を係合する凹溝を有し、それにより前記柱状延伸部が前記凹溝に収納されて前記支持表面が前記頂部表面に支持されることが可能になり、また前記柱状延伸部が前記凹溝中で転動することが可能になる請求項２に記載のブラケット。
【請求項８】
前記第１接続部は宝石軸受であり、前記第２接続部は頂部錐体であり、又は、
前記第１接続部は頂部錐体であり、前記第２接続部は宝石軸受であり、
ここで、前記宝石軸受に錐体形凹溝が設置されており、前記頂部錐体が錐体状構造であり、前記頂部錐体の先端が前記宝石軸受における錐体形凹溝に位置し、前記頂部錐体と前記宝石軸受が点接触の形式で接続される請求項５に記載のブラケット。
【請求項９】
更に少なくとも一対の磁石を含み、ここで、各対の磁石について、この一対の磁石のうちの第１磁石が前記第１支持部における前記第２支持部に近い一側に固定され、この一対の磁石のうちの第２磁石が前記第２支持部における前記第１支持部に近い一側に固定されており、
前記第１磁石と前記第２磁石が平行にオーバーラップしており、且つ近づけている２つの面が同性磁極である請求項１に記載のブラケット。
【請求項１０】
請求項１−９のいずれか一項に記載のブラケット及び回転軸を含み、ここで前記第２支持部の下端が前記回転軸の一端に接続されて前記回転軸を支持し、それにより前記回転軸が外部駆動力の作用で転動可能になるトロンボエラストグラフ。
【請求項１１】
前記回転軸の転動角度を測定し、前記回転軸の転動角度に基づいて被検血液に対応する血栓弾性記録図を形成するための測定装置を更に含む請求項１０に記載のトロンボエラストグラフ。
【請求項１２】
前記測定装置は、
光発射モジュールの発射した光を受光し、受光した光を反射するための光反射シートと、
固定方向から光反射シートに光を発射するための光発射モジュールと、
固定方向から光反射シートの反射した光を受光し、光の強度に基づいて受光した光を対応する電気信号に変換し、且つ前記電気信号を前記処理モジュールに伝達するための受光モジュールと、
前記受光モジュールにより変換された電気信号を処理し、前記回転軸の転動角度を確定するための処理モジュールとを含み、
前記回転軸が前記光反射シートに固定的に接続され、前記回転軸が外部駆動作用で前記光反射シートを連動して転動させる請求項１１に記載のトロンボエラストグラフ。
【請求項１３】
前記光発射モジュールは、光案内柱と、前記光案内柱により前記光反射シートに光を発射する発光ダイオードとを含み、
及び／又は、
前記受光モジュールは、光案内柱と、前記光案内柱により前記光反射シートの発射した光を受光する光電池とを含む請求項１２に記載のトロンボエラストグラフ。
【請求項１４】
請求項１−９のいずれか一項に記載のブラケット及び被支持物を含み、ここで前記第２支持部の下端が前記被支持物の一端に接続されて前記被支持物を支持し、それにより前記被支持物が外部駆動作用で転動可能になる支持システム。
【請求項１５】
前記第１支持部が前記第２支持部に対して所定の位置からずれたことに応じて、前記ストッパ機構の阻止作用を解消するステップと、
前記第１支持部材に前記第２作用力を施すことにより前記第１支持部材を転動させて、前記橋式構造を前記第２支持部に対して、前記第２支持部と所定の角度を形成する位置まで転動させるステップと、
前記回転軸の下端を被検血液に挿入するステップと、
前記被検血液を回転させて前記回転軸を連動して転動させるステップと、
測定された前記回転軸の転動角度に基づいて被検血液の血液凝固データを計算するステップとを含む請求項１０−１３のいずれか一項に記載のトロンボエラストグラフの使用方法。
【発明の詳細な説明】
【技術分野】
【０００１】
本発明は、検出に関し、特に、ブラケット、支持システム、トロンボエラストグラフ及びその使用方法に関する。
【背景技術】
【０００２】
トロンボエラストグラフは、血液の血液凝固パラメーターを体外で検出する装置であり、転動可能な回転軸を備えており、血液を検出する時に、回転軸を血液に挿入し、血液の回転により回転軸を連動して転動させ、設定された検出時間内に、回転軸の角変位に基づいて血液の粘弾性を算出して、心臓血管と脳血管などの疾患の臨床診断に客観的な指導を提供する。
【０００３】
現在、トロンボエラストグラフにおける回転軸がブラケットに接続され、ブラケットの支持により回転軸が血液に連動されて回転するようになっている。
【発明の概要】
【０００４】
本発明の実施例は、角度ずれを簡便に調節して測定の正確性を高めることができるブラケット、支持システム、トロンボエラストグラフ及びその使用方法を提供する。
【０００５】
本発明の一態様によれば、転動可能構造、支持ベース及びストッパ機構を備える第１支持部と、第２支持部と、接続部とを含むブラケットであって、
前記第１支持部は前記接続部により前記第２支持部を支持し、それにより前記第２支持部が第１作用力で前記第１支持部に対して転動可能になり、前記ストッパ機構は前記転動可能構造の転動を阻止する作用を提供するためのものであり、前記転動可能構造は前記支持ベースに支持され、前記ストッパ機構の前記阻止作用が解消された場合に第２作用力で前記支持ベースに対して転動可能であり、前記転動可能構造は前記接続部により前記第２支持部を支持し、それにより前記転動可能構造が前記支持ベースに対して転動する時に前記第２支持部に対して転動可能になるブラケットを提供する。
【０００６】
本発明の別の態様によれば、上述したようなブラケット及び回転軸を含み、ここで前記第２支持部の下端が前記回転軸の一端に接続されて前記回転軸を支持し、それにより前記回転軸が外部駆動力の作用で転動可能になるトロンボエラストグラフを提供する。
【０００７】
本発明のまた一つの態様によれば、上述したようなブラケット及び被支持物を含み、ここで前記第２支持部の下端が前記被支持物の一端に接続されて前記被支持物を支持し、それにより前記被支持物が外部駆動作用で転動可能になる支持システムを提供する。
【０００８】
本発明のまた一つの態様によれば、前記第１支持部が前記第２支持部に対して所定の位置からずれたことに応じて、前記ストッパ機構の阻止作用を解消するステップと、前記第１支持部材に前記第２作用力を施すことにより前記第１支持部材を転動させて、前記橋式構造を前記第２支持部に対して、前記第２支持部と所定の角度を形成する位置まで転動させるステップと、前記回転軸の下端を被検血液に挿入するステップと、前記被検血液を回転させて前記回転軸を連動して転動させるステップと、測定された前記回転軸の転動角度に基づいて被検血液の血液凝固データを計算するステップと、を含む上述したようなトロンボエラストグラフの使用方法を提供する。
【０００９】
上記ブラケット、支持システム、トロンボエラストグラフ及びその使用方法の各実施例によれば、第１支持部と第２支持部を接続する、ブラケットにおける接続部により両者が相対的に転動可能になり、また、接続部を載置する、第１支持部の橋式構造が転動可能な第１支持部材に位置し、ストッパ機構の可動構造の転動への阻止作用が解消された場合に第１支持部材に適切な外力を施すことにより第１支持部材を転動させて、橋式構造を連動して第２支持部に対して転動させることが可能になり、それにより橋式構造を第２支持部と所定の角度を形成するように容易に調整して、トロンボエラストグラフの各部分（例えば第１支持部と第２支持部）の間の角度ずれを解消して、測定精度を高めることができる。
【００１０】
以上で略述したのは説明するためのものに過ぎず、いかなる方式で制限を加える意図もない。以上で説明した模式的態様、実施形態及び特徴の他に、図面及び以下の詳細な説明を参照することにより、本発明の更なる態様、実施形態及び特徴は明らかなものになる。
【図面の簡単な説明】
【００１１】
本発明の実施例又は従来の技術における技術的解決手段をより明らかに説明するために、以下、実施例又は従来の技術の記述に必要とされる図面を簡単に説明し、勿論、以下の記述中の図面は本発明のいくつかの実施例であり、当業者であれば、創造的な労働を払わずに、これらの図面に基づいて他の図面を得ることができることが明らかである。図面において、別に規定されない限り、同じ図面標記は複数の図面を通じて同じ又は類似的な部材又は元素を示す。これらの図面は必ずしも比例するように製図されたものであるというわけではない。これらの図面は本発明に基づいて開示されたいくつかの実施形態のみを描いたものであり、本発明の範囲に制限を加えるものと見なしてならないことを理解すべきである。
【００１２】
【図１】本発明の一実施例に係るブラケットの模式的ブロック図である。
【図２Ａ−Ｂ】本発明の一実施例に係るブラケットの構造模式図である。
【図３Ａ−Ｃ】本発明の一実施例に係るブラケットの第１支持部の構造構成模式図である。
【図４】本発明の一実施例に係るブラケットの第２支持部の構造構成模式図である。
【図５】本発明の一実施例に係るブラケットを備えたトロンボエラストグラフの構造構成模式図である。
【図６】本発明の一実施例に係る接続部の構成模式図である。
【図７】本発明の一実施例に係る宝石軸受と第１支持部が固定的に接続された接続部の模式図である。
【図８】本発明の一実施例に係る宝石軸受と第２支持部が固定的に接続された接続部の模式図である。
【図９】本発明の一実施例に係る磁石を備えた接続部の模式図である。
【図１０】本発明の一実施例に係る測定装置を備えたトロンボエラストグラフの構成模式図である。
【図１１】本発明の一実施例に係る発光ダイオード及び光電池を備えたトロンボエラストグラフの構成模式図である。
【図１２】本発明の一実施例に係るトロンボエラストグラフの使用方法の流れ図である。
【図１３】本発明の一実施例に係る支持システムの模式的ブロック図である。
【発明を実施するための形態】
【００１３】
本発明の実施例の目的、技術的解決手段及び利点をより明らかにするために、以下、本発明の実施例中の図面を参照しながら、本発明の実施例中の技術的解決手段を明らか且つ完全に記述し、記述される実施例は、全ての実施例ではなく、本発明の一部の実施例であることが明らかである。本発明における実施例に基づいて当業者が創造的な労働を払わずに得た他の実施例は全て本発明の保護範囲に含まれる。
【００１４】
以下、いくつかの例示的実施例を簡単に説明する。当業者に認識可能なように、本発明の主旨又は範囲を逸脱しない限り、様々な方式により説明された実施例は変更可能である。従って、図面と説明は本質的には制限を加えるものではなく、例示的なものである。
【００１５】
本発明の説明において、専門用語の「中心」、「縦向」、「横向」、「長手」、「上」、「下」、「前」、「後」、「左」、「右」、「垂直」、「水平」、「頂」、「底」、「内」、「外」、「時計回り」、「逆時計回り」などにより指示される方位又は位置関係は図面に示す方位又は位置関係に基づくものであり、本発明を説明し説明を簡単化するのを容易にすることのみを目的とし、指示される装置又は素子が必ずしも特定の方位を有し、特定の方位で構成され操作されることを指示し又は暗示するというわけでないので、本発明に制限を加えるものと見なしてならないことを理解すべきである。なお、専門用語の「第１」、「第２」は目的を説明するためのものに過ぎず、相対的な重要性を指示したり暗示したりし又は指示される技術的特徴の数量を暗示的に指示するものと見なしてならない。従って、「第１」、「第２」に限定される特徴は１つ又は複数の前記特徴を明示的に含み又は暗示的に含むことが可能である。本発明の説明において、「複数」の定義は、別に明確に具体的な制限を加えない限り、２つ又は２つ以上を指す。
【００１６】
図１に示すように、本発明の一実施例は、転動可能構造１００４、支持ベース１０１３及びストッパ機構１０２４を備える第１支持部１００１と、第２支持部１００３と、接続部１００２とを含むブラケットであって、前記第１支持部１００１が前記接続部１００２により前記第２支持部１００３を支持し、それにより前記第２支持部１００３が第１作用力で前記第１支持部１００１に対して転動可能になり、前記ストッパ機構１０２４が前記転動可能構造の転動を阻止するためのものであり、前記転動可能構造１００４が前記支持ベース１０１３に支持され、前記ストッパ機構１０２４の転動阻止作用が解消された場合に第２作用力で前記支持ベース１０１３に対して転動可能であり、前記転動可能構造１００４が前記接続部１００２により前記第２支持部１００３を支持し、それにより前記転動可能構造１００４が前記支持ベース１０１３に対して転動する時に前記第２支持部１００３に対して転動可能になるブラケットを提供する。
【００１７】
図１に示す例では、転動可能構造１００４は、前記支持ベース１０１３に支持され、前記ストッパ機構１０２４の転動阻止作用が解消された場合に前記第２作用力で前記支持ベース１０１３に対して転動可能である第１支持部材１０１２と、前記第１支持部材１０１２に支持され且つ前記第１支持部材１０１２に固定的に接続され、それにより前記第１支持部材１０１２が転動する時にそれに伴って転動可能であり、また、前記接続部１００２により前記第２支持部１００３を支持し、それにより前記第１支持部材１０１２が転動する時に前記第２支持部１００３に対して転動可能である橋式構造１０１１とを含む。
【００１８】
第１支持部材と橋式構造で構成された転動可能構造が単なる例であり、転動可能構造が他の構造を有してよいことが理解できる。
【００１９】
多種の手段によりストッパ機構１０２４を実現することができ、例えば、前記ストッパ機構１０２４は以下から選択される１つの又はそれらの任意の組合せであってよい。
（１）前記転動可能構造１００４を前記支持ベース１０１３に対して固定するための固定部材、例えばねじ、ラッチ構造、縄など。前記固定部材は必要に応じて緩められて、転動可能構造１００４の転動への阻止作用を解消することができる。
（２）転動可能構造１００４と支持ベース１０１３の両方が互いに接触する、所定の粗度を有する表面。転動可能構造１００４と支持ベース１０１３の接触表面の間の適切な摩擦力により転動可能構造１００４の転動への阻止作用を提供することができる。前記所定の粗度は接触表面の間の摩擦力を提供して前記阻止作用を提供することができる。例えば、適切な摩擦力を提供するために両方の接触表面を一定の粗度を有するように加工してよい。ここで、前記「所定の粗度を有する表面」は接触表面に接続され、粘着され又は加工され、摩擦力を提供し又は増大するための材料又は構造を含む。必要な時に、該摩擦力は反対の外力を施すことにより相殺されて、転動可能構造１００４の転動への阻止作用を解消することができる。
（３）前記転動可能構造１００４と前記支持ベース１０１３の接触表面の間で解消可能な粘着力を提供する材料。例えば、転動可能構造１００４と支持ベース１０１３の接触表面の間で繰り返して使用可能な粘稠材料又は粘着材料を提供してよく、これらの材料の提供する粘着力が外力の作用で相殺可能であり、外力が消えた時に粘着力が継続的に転動可能構造１００４の転動を阻止する。
【００２０】
以上はただストッパ機構１０２４のいくつかの例のみであり、全てのものではない。当業者は本明細書に記載のストッパ機構１０２４の機能を実現可能な他の各種の実現手段を予見できる。
【００２１】
以下、図２−４を参照しながら本発明に係るブラケットの各実施例を詳細に説明する。
【００２２】
図２Ａは一実施例に係るブラケットの構造構成模式図を示し、図２Ｂは図２Ａの断面図である。図３Ａ−３Ｃは図２のブラケットの第１支持部の構成模式図であり、ここで、図３Ａは支持ベースの模式図であり、図３Ｂは第１支持部材の模式図であり、図３Ｃは橋式構造の模式図である。図４は図２のブラケットの第２支持部の構成模式図である。
【００２３】
図２−４の実施例では、ブラケットは接続部１００２により接続された第１支持部と第２支持部１００３で構成される。第１支持部は支持ベース１０１３、その上に位置し且つそれに転動可能に接続された第１支持部材１０１２及び第１支持部材１０１２に支持された橋式構造１０１３を含む。第１支持部が橋式構造１０１３により接続部１００２に接続されて、接続部１００２にも接続された第２支持部１００３を支持する。ここで、接続部１００２は、第２支持部１００３が第１作用力（例えば、ブラケットをトロンボエラストグラフに用いる時に、第１作用力は被検血液の転動による回転軸の転動が第２支持部１００３に施す力であってよく、ここで回転軸が第２支持部１００３に固定的に接続されている）で第１支持部に対して転動可能であって、それにより第２支持部１００３の下端に固定的に接続された被支持物が外力に駆動されて転動する時に第２支持部１００３を連動して転動させることができるように配置されている。
【００２４】
図面を明らかにするために、図２−４において、図１におけるストッパ機構１０２４が明確に示されていないことに注意する必要がある。ストッパ機構１０２４は図２−４の例において上述したいかなる方式であってもよいことが理解できる。
【００２５】
図３の例では、第１支持部材１０１２は支持表面１０１２ａ及び支持表面１０１２ａの下面に位置し且つそれに接続された柱状延伸部１０１２ｂを含み、ここで、柱状延伸部１０１２ｂの頂部表面の寸法が支持表面１０１２ａの寸法より小さく、即ち、支持表面１０１２ａが柱状延伸部１０１２ｂの上表面を超えるように延伸して、支持表面１０１２ａが柱状延伸部１０１２ｂの側表面の外に突出している。この例において、第１支持部材１０１２の中心に第１貫通孔１０１５を有し、橋式構造１０１１が第１貫通孔１０１５を跨いで第１支持部材１０１２に固定されている。
【００２６】
多種の方式により各種の接続部材の助けを借り又は借りることなく橋式構造１０１１を第１支持部材１０１２に固定するようにしてよい。例えば、第１支持部材１０１２の支持表面１０１２ａに少なくとも１つの係合溝を設置し、且つ橋式構造１０１１の少なくとも一端を前記少なくとも１つの係合溝に置くようにしてよい。更にねじを用いて橋式構造１０１１を第１支持部材１０１２に固定してもよい。又は以上の二種の方式を組み合わせた手段を採用する。更に溶接、粘着により又は他の接続部材及び／又は固定部材の助けを借りて橋式構造１０１１を固定してもよい。
【００２７】
図２−４に示す例では、第１支持部材１０１２の支持表面１０１２ａに２つの係合溝１０１７を有し、橋式構造１０１１の両端がそれぞれ２つの係合溝１０１７に置かれている。更に固定するために、この例において更にねじを利用して橋式構造１０１１の両端を第１支持部材１０１２に固定している。
【００２８】
以上の例では、橋式構造１０１１は沈下式橋式構造として示され、ここで、橋式構造１０１１の上表面と第１支持部材１０１２の支持表面１０１２ａが基本的に揃っており、上表面の下に沈下部を有し、上表面に沈下部まで延伸する、接続部１００２を固定的に接続するための孔口１０１８が設置されている。橋式構造１０１１として例えば浮上式構造のような他の構造を採用してもよいことが当業者に認識されており、ここで橋式構造１０１１の下表面と第１支持部材１０１２の支持表面１０１２ａとが基本的に揃っており、下表面の上に浮上部を有し、上表面に浮上部まで延伸する、接続部１００２を固定的に接続するための孔口が設置されている。
【００２９】
図３Ａに示すように、この例において、支持ベース１０１３が頂部表面１０２１を有し、その上に第１支持部材１０１２の柱状延伸部１０１２ｂを係合する凹溝又は第２貫通孔１０１４を有し、それにより柱状延伸部１０１２ｂが該凹溝又は第２貫通孔１０１４に収納可能になる。多種の接続手段を用いて第１支持部材１０１２と支持ベース１０１３の転動可能な接続を実現することができる。例えば、転動軸受又は摺動軸受を用いてよい。図２−４の例では、組み立てた後、第１支持部材１０１２が直接支持ベース１０１３と接触し、第１支持部材１０１２の柱状延伸部１０１２ｂが支持ベース１０１３の中心に位置する第２貫通孔１０１４に収納され、第１支持部材１０１２の支持表面１０１２ａが支持ベース１０１３の頂部表面１０２１に支持される。ここで、ストッパ機構の第１支持部材１０１２の転動への阻止作用が解消された後、第１支持部材１０１２に回転させる適切な外力を施すと、第１支持部材１０１２が支持ベース１０１３に対して転動可能になる。
【００３０】
図２−４の例では第１支持部材１０１２の支持表面１０１２ａは柱状延伸部１０１２ｂの上表面を超えるように延伸するように示され、支持ベース１０１３に組み立てられた後支持ベース１０１３の頂部表面１０２１と接触し且つそれに支持される。しかし、第１支持部材１０１２として他の形式を採用してもよく、例えば、支持表面１０１２ａの大きさを柱状延伸部１０１２ｂの上表面の大きさと等しくしてよく、支持ベース１０１３に組み立てられた後、凹溝又は第２貫通孔１０１４の底表面が柱状延伸部１０１２ｂの底表面と接触し且つ支持を提供することが理解可能である。このような形式において、第１支持部材は円柱形であり、支持ベースの凹溝又は貫通孔は第１支持部材に対する支持を提供するために少なくとも一部の底表面を有する。
【００３１】
以上の各例では、第１支持部材１０１２の支持表面１０１２ａは円形であり、柱状延伸部１０１２ｂは円柱形であり、また支持ベース１０１３も円柱形である。第１支持部材１０１２の支持表面１０１２ａが任意の形状であってよく、柱状延伸部１０１２ｂと支持ベース１０１３が他の適切な形状であってよく、第１支持部材１０１２と支持ベース１０１３の可転動接続を実現できればよいことが当業者に理解されている。
【００３２】
図２−４に示す例では、支持ベース１０１３と第１支持部材１０１２の中心にいずれも貫通孔を有し、また第１貫通孔１０１５と第２貫通孔１０１４の少なくとも一部が重なり合っており、第２支持部１００３が少なくとも部分的に第１貫通孔１０１５と第２貫通孔１０１４を貫通する（図２Ａ−Ｂを参照）。第２支持部１００３が第１支持部１００１を貫通する必要がない場合に、支持ベース１０１３と第１支持部材１０１２が貫通孔を備えなくてもよいことが理解可能である。
【００３３】
図４に示す例では、第２支持部１００３の中心にも貫通孔、即ち第３貫通孔１０１６を有する。第３貫通孔１０１６の第２支持部１００３の上端に近い側壁には接続部１００２に接続される凹口１０２２が設置されている。図４において第３貫通孔１０１６は四角形状として示され、他のいかなる適切な形状であってよいことが理解できる。
【００３４】
組み立てられた後のブラケットの模式図２Ａと２Ｂから、第２支持部１００３が第１支持部１００１に支持された時に第１支持部材１０１２の第１貫通孔１０１５と支持ベース１０１３の第２貫通孔１０１４を貫通し、ここで第２支持部１００３の下端が支持ベース１０１３から突き出していることが分かった。また、橋式構造１０１１が第２支持部１００３の第３貫通孔１０１６を貫通して接続部１００２により第２支持部１００３を支持する。ここで、橋式構造１０１１における孔口１０１８に第２支持部１００３における凹口１０２２が正確に合わせられ、それぞれ接続部１００２に接続される。組み立てられた後のブラケットにおいて、接続部１００２が第２支持部１００３の第３貫通孔１０１６に位置する。
【００３５】
上記ブラケット構造と組み立て方式は単なる例であり、第２支持部が第１と第２貫通孔を貫通しなく、第１支持部全体が第３貫通孔を貫通し即ち第３貫通孔の四辺枠が全て第１支持部の外に位置することを可能にするように第２支持部及びその第３貫通孔を十分に大きくしてもよいことが理解可能である。
【００３６】
図５の例から、接続部１００２は第１接続部１０１９と第２接続部１０２０を含んでよく、ここで第１接続部１０１９が橋式構造１０１１に（例えば、橋式構造１０１１における孔口１０１８により）固定的に接続され、第２接続部１０２０が第２支持部１００３に（例えば、第２支持部１００３における凹口１０２２により）固定的に接続されていることが分かった。第１接続部１０１９と第２接続部１０２０が点接触の方式により一体に接続されて、第１接続部１０１９と第２接続部１０２０が相対的に転動可能になって、第２支持部１００３と橋式構造１０１１が相対的に転動可能になる。
【００３７】
図５に示す例では、第１支持部が接続部により第２支持部と被支持物を支持し、接続部における第１接続部１０１９と第２接続部１０２０が点接触の方式により一体に接続され、被支持物と第２支持部が固定的に接続され且つ外力に駆動されると第２支持部１００３を駆動して第１接続部１０１９と第２接続部１０２０の間の接触点の回りに転動させるようになっている。第１接続部１０１９と第２接続部１０２０が点接触の方式により一体に接続されているため、第１支持部１００１と第２支持部１００３が相対的に転動する時に第２支持部１００３の転動を妨げる摩擦力を発生させる接触点が１つしかなく、ブラケット上で発生する摩擦力を低減して、被支持物が回転する時に受ける回転抵抗を低減することができる。
【００３８】
本発明の実施例では、点接触の方式は、２つの接触部材同士が完全に接触するというわけでなく、且つ接触面積が所定値より小さいようになってよい。例えば、上記第１接続部１０１９と第２接続部１０２０が点接触の方式により一体に接続された場合に、接触面積が１平方ミリメートルより小さい。
【００３９】
図６は第１接続部と第２接続部が宝石軸受３０３１と頂部錐体３０３２である接続部模式図を示す。宝石軸受３０３１に錐体形凹溝２０１１が設置され、頂部錐体３０３２が錐体状構造であり、頂部錐体３０３２の先端が宝石軸受３０３１における錐体形凹溝２０１１に位置し、頂部錐体３０３２と宝石軸受３０３１が点接触の形式により接続されている。
【００４０】
図６に示すように、宝石軸受３０３１は円形餅状構造であり、宝石軸受３０３１の１つの平面に錐体形凹溝２０１１が設置されており、頂部錐体３０３２は錐体状構造である。頂部錐体３０３２の先端は凹溝２０１１内に位置しており、凹溝２０１１の底部と接触するのは頂部錐体３０３２の先端しかなく、宝石軸受３０３１と頂部錐体３０３２が点接触の形式により接続されることが実現される。例えば、頂部錐体３０３２は先端に０．８平方ミリメートルの面積を有しており、該０．８平方ミリメートルの面積の先端により宝石軸受３０３１の錐体形凹溝２０１１と点接触する。
【００４１】
本発明の一実施例では、接続部中の第１接続部が宝石軸受であり、第２接続部が頂部錐体である。別の実施例では、第１接続部が頂部錐体であり第２接続部が宝石軸受である。
【００４２】
図７に示す例では、宝石軸受３０３１が第１接続部として第１支持部１００１に固定的に接続され、頂部錐体３０３２が第２接続部として第２支持部１００３に固定的に接続され、頂部錐体３０３２の先端が宝石軸受３０３１の凹溝に位置し、頂部錐体３０３２の先端と宝石軸受３０３１の凹溝の底部とが点接触するようになっている。第１支持部１００１が宝石軸受３０３１により、固定的に接続された頂部錐体３０３２と第２支持部１００３を支持する。
【００４３】
図８に示す実施例では、頂部錐体３０３２が第１接続部として第１支持部１００１に固定的に接続され、宝石軸受３０３１が第２接続部として第２支持部１００３に固定的に接続され、頂部錐体３０３２の先端と宝石軸受３０３１の底部とが点接触するようになっている。第１支持部１００１は頂部錐体３０３２により、固定的に接続された宝石軸受３０３１と第２支持部１００３を支持する。
【００４４】
本発明の一実施例では、ブラケットは更に少なくとも一対の磁石を含み、
各対の磁石について、この一対の磁石のうちの第１磁石が第１支持部における第２支持部に近い一側に固定され、この一対の磁石のうちの第２磁石が第２支持部における第１支持部に近い一側に固定されており、第１磁石と第２磁石が平行にオーバーラップしており、互いに近づいている面が同性磁極である。
【００４５】
図９に示す例では、ブラケットは二対の磁石を含み、第１対の磁石は磁石５０４１及び磁石５０４２を含み、第２対の磁石は磁石５０５１及び磁石５０５２を含み、磁石５０４１及び磁石５０５１が第１支持部１００１に固定され、磁石５０４２及び磁石５０５２が第２支持部１００３に固定されている。第１対の磁石のうちの磁石５０４１と磁石５０４２は平行にオーバーラップしており、磁石５０４１と磁石５０４２の互いに近づけている面は極性が同様である磁極を有しており、例えば、磁石５０４１のＮ極が第２支持部１００３に指向し、磁石５０４２のＮ極が第１支持部１００１に指向しており、第２対の磁石のうちの磁石５０５１と磁石５０５２は平行にオーバーラップしており、磁石５０５１と磁石５０５２の互いに近づけている面は極性が同様である磁極を有しており、例えば、磁石５０５１のＳ極が第２支持部１００３に指向し、磁石５０５２のＳ極が第１支持部１００１に指向している。
【００４６】
図５の例では、ブラケットは更に第１支持部１００１と第２支持部１００３を支持するための固定立柱１０２３を含み、ここで支持ベース１０１３が固定立柱１０２３に固定的に接続されている。
【００４７】
上記ブラケットの各実施例では、第２支持部がそれに施した第１作用力で第１支持部（例えば、第１支持部の橋式構造）に対して転動可能であり、それにより第２支持部の下端に被支持物が接続された時に被支持物の転動により第２支持部が連動されてそれに伴って第１支持部に対して転動可能である。ストッパ機構の可動構造の転動への阻止作用が解消されていない場合に、第１支持部が転動せず、それにより第２支持部の転動角度を測定することで被支持物の転動角度を測定することができる。必要な時に（例えば、第１支持部と第２支持部の間の角度関係を調整して測定精度を高めることが必要とされる時に）、ストッパ機構の転動への阻止作用を解消してよく（例えば、固定部材を緩め、摩擦力及び／又は粘着力を相殺させるなど）、続いて転動可能構造がそれに施した第２作用力で第２支持部に対して転動可能であり（例えば、第１支持部材がそれに施した第２作用力で橋式構造を連動して第２支持部に対して転動させることができる）、それにより転動可能構造（例えば、第１支持部材）を手動で転動させることで第１支持部（例えば、橋式構造）と第２支持部を所定の位置関係にして、測定の正確性を確保することができる。一般的には、測定を容易にするために、橋式構造の長手方向の軸線を第２支持部の平面に垂直にするように第１支持部と第２支持部を配置する必要がある。第１支持部の橋式構造と第２支持部が該所定の位置関係からずれたことを発見した場合に、該所定の関係に調整して測定正確性を保証することが必要とされる。このような場合に、本発明に係る可回転橋式構造を備えたブラケットにより、ストッパ機構の転動への阻止作用が解消された後第１支持部材に適切な外力を施して第１支持部材及びそれに固定的に接続された橋式構造を第２支持部に対して一定の角度回転させて、その上の橋式構造の軸線を第２支持部に垂直にすることができる。
【００４８】
本明細書における専門用語の「橋式構造」とはそれを支持する表面を跨いだ構造を指し、説明する必要があるのは、それを支持する表面が橋式構造を跨がせる開口溝、開口又は貫通孔を有してよいが、これらの開口溝、開口、貫通孔又は類似的な構造が必須のものではないことである。
【００４９】
本明細書に記載のブラケットの各実施例はトロンボエラストグラフに利用可能である。図５は上記ブラケットを備えたトロンボエラストグラフの１つの実施例を示す。図５に示すように、該トロンボエラストグラフはブラケット及びブラケットに支持される被支持物とする回転軸７を含む。第２支持部１００３の下端が回転軸７の一端に接続されて回転軸７を支持して、回転軸７が外部駆動作用で転動可能になる。使用する時に、回転軸７の他端（下端）が容器に収納された被検血液に伸び込み、血液が駆動装置に駆動されて回転して、回転軸７をも連動して転動させる。該トロンボエラストグラフは回転軸７の転動角度を測定することにより、被検血液の血液凝固パラメーターデータを計算することができる。
【００５０】
本発明の一実施例では、トロンボエラストグラフは前記回転軸の転動角度を測定し、前記回転軸の転動角度に基づいて被検血液に対応する血栓弾性記録図を形成するための測定装置を更に含む。
【００５１】
図１０に示す例では、前記測定装置は、対応する光発射モジュール５２の発射した光を受光し、受光した光を反射するための少なくとも１つの光反射シート５１と、固定方向で対応する光反射シート５１に光を発射するための少なくとも１つの光発射モジュール５２と、固定方向で対応する光反射シート５１の反射した光を受光し、光の強度に基づいて受光した光を対応する電気信号に変換し、且つ電気信号を処理モジュール５４に伝達するための少なくとも１つの受光モジュール５３と、少なくとも１つの受光モジュール５３により変換された電気信号を処理し、回転軸７の転動角度を確定するための処理モジュール５４とを含み、回転軸７が少なくとも１つの光反射シート５１に固定的に接続され、回転軸７が外部駆動作用で少なくとも１つの光反射シート５１を連動して転動させる。
【００５２】
該実施例で提供されるトロンボエラストグラフによれば、光反射シートが光発射モジュールの発射した光を受光モジュールに反射し、光反射シートが回転軸に連動されて転動する時に、光発射モジュールが固定方向で光を発射するため、光反射シートの受光した光の量が変化し、また光反射シートが転動するため、光反射シートが光を反射する光路が変化し、それにより固定方向で光を受光する受光モジュールの受光した光の強度が変化し、受光モジュールが光の強度に基づいて受光した光を対応する電気信号に変換し、処理モジュールが電気信号に基づいて回転軸の転動角度を確定する。このようにして、光を回転軸転動角度検出信号とし、光の強度が温度などの外部要因の変化により変化することがないため、光により回転軸の転動角度を検出することで、回転軸の転動角度の検出の正確性を高めることができる。
【００５３】
図１１に示す例では、光発射モジュール５２は光案内柱６０３２と、光案内柱６０３２により光反射シート５１に光を発射する発光ダイオード６０３１とを含み、
及び／又は、
受光モジュール５３は光案内柱６０４２と、光案内柱６０４２により光反射シート５１の発射した光を受光する光電池６０４１とを含む。
【００５４】
本発明の実施例では、光発射モジュール５２の所在する第４貫通孔６０６２の内表面が機械加工表面であるため、一定の粗度が存在し、発光ダイオード６０３１により直接光反射シート５１に光を発射すれば、発光ダイオード６０３１の発した光が第４貫通孔６０６２内で乱反射して、光エネルギーが散失し、一方、第４貫通孔６０６２から射出した光の方向及び量が制御しにくくなる。光案内柱６０３２により発光ダイオード６０３１の発した光を光反射シート５１に射出することで、発光ダイオード６０３１の発した光が光案内柱６０３２の内部で伝導し、光が乱反射する現象が発生せず、それにより光エネルギーの利用率を高め、第４貫通孔６０６２から射出した光が特定の方向と特定の量を有することを保証し、更に回転軸７の転動角度の検出の正確性を保証する。
【００５５】
本発明の一実施例では、それぞれの受光モジュールは１つの光電池と１つの光案内柱を含み、光電池と光案内柱がいずれも第５貫通孔に固定されており、ここで光案内柱が光反射シートに近い一側に位置している。光案内柱は対応する光反射シートの反射した光を固定方向で受光し、且つ受光した光を光電池に伝導し、光電池は受光強度に基づいて受光した光を対応する電気信号に変換する。
【００５６】
図１１に示す例では、第５貫通孔６０６３も機械加工により形成されたものであるため、第５貫通孔６０６３の内表面に一定の粗度が存在し、光反射シート５１の反射した光が直接第５貫通孔６０６３に入って光電池６０４１に到達すれば、光が第５貫通孔６０６３の内壁で乱反射して、光エネルギーが散失して、最終的に光電池６０４１に到達した光のエネルギーが光反射シートにより第５貫通孔６０６３に入射した光のエネルギーより小さく、更に最終的に検出した回転軸７の転動角度に大きい誤差が存在する。光案内柱６０４２により光反射シート５１の反射した光を受光することで、光が光案内柱６０４２の内部で伝達し、伝達過程で光が乱反射せず、光電池６０４１の受光した光のエネルギーが光反射シート５１により光案内柱６０４２に反射した光のエネルギーと等しいことを保証し、それにより回転軸７の転動角度の検出の正確性を保証することができる。
【００５７】
本発明の一実施例では、トロンボエラストグラフは更に少なくとも１つの光止めシートを含み、光止めシートの数量が光案内柱の数量と等しく、それぞれの光止めシートが１つの光案内柱に対応する。光止めシートに固定的な形状及び固定的な寸法の光通過孔が設置され、光止めシートが光反射シートと光案内柱の間に設置されて、光反射シートの反射した光が光止めシートにおける光通過孔のみにより光案内柱に発射することができる。
【００５８】
図１２は本発明の一実施例に係る上記トロンボエラストグラフの使用方法の流れ図を示す。図１２に示すように、該方法は、前記第１支持部が前記第２支持部に対して所定の位置からずれたことに応じて、前記ストッパ機構の前記阻止作用を解消するステップＳ１２１と、前記第１支持部材に第２作用力を施すことにより前記第１支持部材を転動させて、前記橋式構造を前記第２支持部に対して、前記第２支持部と所定の角度を形成する位置まで転動させるステップＳ１２２と、前記回転軸の下端を被検血液に挿入するステップＳ１２３と、前記被検血液を回転させて前記回転軸を連動して転動させるステップＳ１２４と、測定された前記回転軸の転動角度に基づいて被検血液の血液凝固データを計算するステップＳ１２５とを含む。
【００５９】
以上、ブラケットをトロンボエラストグラフに用いることを例として説明したが、本発明の各実施例のブラケットは他の被支持物に用いて支持システムを構成することができることが認識可能である。図１３はこのような支持システムの構成のブロック図を示す。図１３に示すように、該支持システムはブラケット１３０１と被支持物１３０２を含み、ここでブラケット１３０１の第２支持部の下端が被支持物１３０２の一端に接続されて被支持物１３０２を支持して、被支持物１３０２が外部駆動作用で転動可能になる。
【００６０】
本発明で提供される各実施例は、少なくとも以下のような有益な効果を有する。
１、本発明の実施例では、第２支持部がそれに施した第１作用力で第１支持部に対して転動可能であり、それにより第２支持部の下端に被支持物が接続された時に被支持物の転動により第２支持部が連動されてそれに伴って第１支持部に対して転動可能である。ストッパ機構の可動構造の転動への阻止作用が解消されていない場合に、第１支持部が転動せず、それにより第２支持部の転動角度を測定することで被支持物の転動角度を測定することができる。必要な時に（例えば、第１支持部と第２支持部の間の角度関係を調整して測定精度を高めることが必要とされる時に）、ストッパ機構の転動への阻止作用を解消してよく（例えば、固定部材を緩め、摩擦力及び／又は粘着力を相殺させるなど）、続いて転動可能構造がそれに施した第２作用力で第２支持部に対して転動可能であり、それにより転動可能構造（例えば、第１支持部材）を手動で転動させることで第１支持部（例えば、橋式構造）と第２支持部を所定の位置関係にして、測定の正確性を確保することができる。
２、本発明の実施例では、第１支持部が接続部により第２支持部と被支持物を支持し、接続部における第１接続部と第２接続部が点接触の方式により一体に接続され、被支持物が力を受けた後第２支持部を駆動して第１接続部と第２接続部の間の接触点の回りに転動させる。第１接続部と第２接続部が点接触の方式により一体に接続されているため、第２支持部と第１支持部が相対的に転動する時に第２支持部の転動を妨げる摩擦力を発生させる接触点が１つしかなく、ブラケット上で発生する摩擦力を低減して被支持物が回転する時に受ける回転抵抗を低減することができる。
３、本発明の実施例では、接続部に含まれる２つの接続部が宝石軸受と頂部錐体であってよく、頂部錐体の先端が宝石軸受の錐体形凹溝に位置し、頂部錐体の先端と錐体形凹溝の底部が点接触し、宝石軸受と頂部錐体が相対的に転動する時に、発生する摩擦力が小さく、それにより被支持物が回転する時に受けるブラケットからの回転抵抗を低減することができ、該ブラケットをトロンボエラストグラフに応用する時にトロンボエラストグラフの感度及び測定の正確性を高めることができる。
４、本発明の実施例では、ブラケットが少なくとも一対の磁石を含んでよく、各対の磁石のうちの１つの磁石が第１支持部に固定され、もう一つの磁石が第２支持部に固定され、一対の磁石が平行にオーバーラップし且つ同性磁極が対向するようになっており、このようにして、同性が互いに排斥する原理に基づいて、第１支持部での磁石が第２支持部での磁石に上向きの磁力を施し、該磁力が第１接続部と第２接続部の点接触の間の圧力を低減することができ、点接触の間の圧力を低減することで更に点接触による摩擦力を低減して、更に被支持物が回転する時に受ける回転抵抗を低減することができる。
５、本発明の実施例では、光反射シートが光発射モジュールの発射した光を受光モジュールに反射し、光反射シートが回転軸に連動されて転動する時に、光発射モジュールが固定方向で光を発射するため、光反射シートの受光した光の量が変化し、また光反射シートが転動するため、光反射シートが光を反射する光路が変化し、それにより固定方向で光を受光する受光モジュールの受光した光の強度が変化し、受光モジュールが光の強度に基づいて受光した光を対応する電気信号に変換し、処理モジュールが電気信号に基づいて回転軸の転動角度を確定する。このようにして、光を回転軸転動角度検出信号とし、光の強度が温度などの外部要因の変化により変化することがないため、光により回転軸の転動角度を検出することで、回転軸の転動角度の検出の正確性を高めることができる。
６、本発明の実施例では、発光ダイオードが光案内柱により光を発射し、光電池が光案内柱により光を受光し、光案内柱は光の通路として、光の均一性を増強し、光が発光ダイオード又は光電池を固定する貫通孔内で乱反射して光の強度に影響する状況の発生を回避して、回転軸転動角度の検出の正確性を保証することができる。
【００６１】
本明細書に係る「プロセッサー」、「処理ユニット／モジュール」、「制御器」、「制御ユニット／モジュール」又は類似的な専門用語は適宜なプログラムコマンド、算術演算、データ処理及び／又は制御操作などを実行することができる適宜な装置を指し、ソフトウエア、ハードウェア、ファームウエア又はそれらの組合せであってよく、例えばコンピューター、中央処理装置などが挙げられることに注意する必要がある。それらは単一の部材で構成されてもよく、その機能が複数の部材に分散するようになってもよい。集中式処理システムであってもよく、分布式処理システムであってもよい。
【発明の各態様】
【００６２】
以下の番号をつけた各態様は本発明を更に開示する。
１．転動可能構造、支持ベース及びストッパ機構を備える第１支持部と、第２支持部と、接続部とを含むブラケットであって、
前記第１支持部は前記接続部により前記第２支持部を支持し、それにより前記第２支持部が第１作用力で前記第１支持部に対して転動可能になり、
前記ストッパ機構は前記転動可能構造の転動を阻止する作用を提供するためのものであり、
前記転動可能構造は前記支持ベースに支持され、前記ストッパ機構の前記阻止作用が解消された場合に第２作用力で前記支持ベースに対して転動可能であり、
前記転動可能構造は前記接続部により前記第２支持部を支持し、それにより前記転動可能構造が前記支持ベースに対して転動する時に前記第２支持部に対して転動可能になるブラケット。
２．前記転動可能構造は、
前記支持ベースに支持され、前記ストッパ機構の前記阻止作用が解消された場合に前記第２作用力で前記支持ベースに対して転動可能である第１支持部材と、
前記第１支持部材に支持され且つ前記第１支持部材に固定的に接続され、それにより前記第１支持部材が転動する時にそれに伴って転動可能であり、また、前記接続部により前記第２支持部を支持し、それにより前記第１支持部材が転動する時に前記第２支持部に対して転動可能である橋式構造とを含む態様１に記載のブラケット。
３．前記ストッパ機構は、
前記転動可能構造を前記支持ベースに対して固定するための固定部材、
前記転動可能構造と前記支持ベースの両方が互いに接触する、所定の粗度を有する表面、
前記転動可能構造と前記支持ベースの接触表面の間で解消可能な粘着力を提供する材料から選択される１つ又はそれらの任意の組合せである態様１に記載のブラケット。
４．前記第１支持部材の中心に第１貫通孔を有し、前記橋式構造が前記第１貫通孔を跨いで前記第１支持部材に固定され、
前記支持ベースの中心に第１貫通孔と少なくとも部分的に重なり合う第２貫通孔を有し、
前記第２支持部の中心に第３貫通孔を有し、
前記第２支持部が前記第１支持部に支持された時に前記第１貫通孔と前記第２貫通孔を貫通し、前記橋式構造が前記第３貫通孔を貫通し且つ前記第３貫通孔に位置する前記接続部により前記第２支持部を支持する態様２に記載のブラケット。
５．前記接続部は、
前記橋式構造に固定的に接続された第１接続部と、
前記第２支持部に固定的に接続された第２接続部とを含み、
前記第１接続部と前記第２接続部が点接触の方式により一体に接続され、それにより前記第１接続部と前記第２接続部が相対的に転動可能になって、前記第２支持部と前記橋式構造が相対的に転動可能になる態様２に記載のブラケット。
６．前記第１支持部材は支持表面及び前記支持表面の下面に位置し且つそれに固定的に接続された柱状延伸部を含み、
前記支持ベースにおける前記第１支持部材と接触する頂部表面に前記柱状延伸部を係合する凹溝を有し、それにより前記柱状延伸部が前記凹溝に収納されて前記凹溝に支持され且つ前記凹溝中で転動することが可能になる態様２に記載のブラケット。
７．前記第１支持部材は支持表面及び前記支持表面の下面に位置し且つそれに固定的に接続された柱状延伸部を含み、ここで前記支持表面が前記柱状延伸部の上表面を超えるように延伸し、それにより前記支持表面が前記柱状延伸部の側表面から突出し、
前記支持ベースにおける前記第１支持部材と接触する頂部表面に前記柱状延伸部を係合する凹溝を有し、それにより前記柱状延伸部が前記凹溝に収納されて前記支持表面が前記頂部表面に支持されることが可能になり、また前記柱状延伸部が前記凹溝中で転動することが可能になる態様２に記載のブラケット。
８．前記第１接続部は宝石軸受であり、前記第２接続部は頂部錐体であり、又は、
前記第１接続部は頂部錐体であり、前記第２接続部は宝石軸受であり、
ここで、前記宝石軸受に錐体形凹溝が設置されており、前記頂部錐体が錐体状構造であり、前記頂部錐体の先端が前記宝石軸受における錐体形凹溝に位置し、前記頂部錐体と前記宝石軸受が点接触の形式で接続される態様５に記載のブラケット。
９．更に少なくとも一対の磁石を含み、ここで、各対の磁石について、この一対の磁石のうちの第１磁石が前記第１支持部における前記第２支持部に近い一側に固定され、この一対の磁石のうちの第２磁石が前記第２支持部における前記第１支持部に近い一側に固定されており、
前記第１磁石と前記第２磁石が平行にオーバーラップしており、且つ近づけている２つの面が同性磁極である態様１に記載のブラケット。
１０．態様１−９のいずれか一項に記載のブラケット及び回転軸を含み、ここで前記第２支持部の下端が前記回転軸の一端に接続されて前記回転軸を支持し、それにより前記回転軸が外部駆動力の作用で転動可能になるトロンボエラストグラフ。
１１．前記回転軸の転動角度を測定し、前記回転軸の転動角度に基づいて被検血液に対応する血栓弾性記録図を形成するための測定装置を更に含む態様１０に記載のトロンボエラストグラフ。
１２．前記測定装置は、
光発射モジュールの発射した光を受光し、受光した光を反射するための光反射シートと、
固定方向から光反射シートに光を発射するための光発射モジュールと、
固定方向から光反射シートの反射した光を受光し、光の強度に基づいて受光した光を対応する電気信号に変換し、且つ前記電気信号を前記処理モジュールに伝達するための受光モジュールと、
前記受光モジュールにより変換された電気信号を処理し、前記回転軸の転動角度を確定するための処理モジュールとを含み、
前記回転軸が前記光反射シートに固定的に接続され、前記回転軸が外部駆動作用で前記光反射シートを連動して転動させる態様１１に記載のトロンボエラストグラフ。
１３．前記光発射モジュールは、光案内柱と、前記光案内柱により前記光反射シートに光を発射する発光ダイオードとを含み、
及び／又は、
前記受光モジュールは、光案内柱と、前記光案内柱により前記光反射シートの発射した光を受光する光電池とを含む態様１２に記載のトロンボエラストグラフ。
１４．態様１−９のいずれか一項に記載のブラケット及び被支持物を含み、ここで前記第２支持部の下端が前記被支持物の一端に接続されて前記被支持物を支持し、それにより前記被支持物が外部駆動作用で転動可能になる支持システム。
１５．前記第１支持部が前記第２支持部に対して所定の位置からずれたことに応じて、前記ストッパ機構の前記阻止作用を解消するステップと、
前記第１支持部材に前記第２作用力を施すことにより前記第１支持部材を転動させて、前記橋式構造を前記第２支持部に対して、前記第２支持部と所定の角度を形成する位置まで転動させるステップと、
前記回転軸の下端を被検血液に挿入するステップと、
前記被検血液を回転させて前記回転軸を連動して転動させるステップと、
測定された前記回転軸の転動角度に基づいて被検血液の血液凝固データを計算するステップとを含む態様１０−１３のいずれか一項に記載のトロンボエラストグラフの使用方法。
【００６３】
最後に説明する必要があるのは、以上の説明が本発明の好ましい実施例に過ぎず、単に本発明の技術的解決手段を説明するためのものであり、本発明の保護範囲を限定する意図がないことである。本発明の主旨と原則を逸脱しない限り行ったいかなる変更、同等な取り替え、改進も本発明の保護範囲に含まれる。
【図１】
2019515315.tif 000003
【図２Ａ】
2019515315.tif 000004
【図２Ｂ】
2019515315.tif 000005
【図３Ａ】
2019515315.tif 000006
【図３Ｂ】
2019515315.tif 000007
【図３Ｃ】
2019515315.tif 000008
【図４】
2019515315.tif 000009
【図５】
2019515315.tif 000010
【図６】
2019515315.tif 000011
【図７】
2019515315.tif 000012
【図８】
2019515315.tif 000013
【図９】
2019515315.tif 000014
【図１０】
2019515315.tif 000015
【図１１】
2019515315.tif 000016
【図１２】
2019515315.tif 000017
【図１３】
2019515315.tif 000018
【国際調査報告】
2019515315.tif 000019
2019515315.tif 000020
2019515315.tif 000021
2019515315.tif 000022
2019515315.tif 000023
2019515315.tif 000024